(57)【要約】  【課題】  従来のフィッティングを外す工具は大がかりな物が多いため、こまわりが効かず洗浄やメンテナンス作業に支障を来していた。この問題点を解決するには、軽く安価でかつ安全な工具が必要になる。【解決手段】  上記の目的を達成する本発明はハンドルa、切込みの入った板ｂ、ラチェット（イ）に掛ける板c、アジャスターｄによって構成される事を主な特徴とする。  【選択図】  図１
2008050045.tif 000002
【特許請求の範囲】
【請求項１】
ハンドルa、切込みの入った板ｂ、ラチェット（イ）に掛ける板c、アジャスターｄによって構成される工具。
【請求項２】
ハンドルa、切込みの入った板ｂにアジャスターｄのネジが通る穴を設けた請求項1の工具。
【請求項３】
ハンドルa、切込みの入った板ｂ、ラチェット（イ）に掛ける板cを固定または一体化し、アジャスターｄの雄ネジが通る雌ネジを設けた請求項1の工具。
【請求項４】
切込みの入った板ｂ、ラチェット（イ）に掛ける板cにストッパーを解除する工具を差込むための穴fを開けた請求項1、2，3の工具。
【発明の詳細な説明】
【技術分野】
【０００１】
本発明は業務用ビール樽（サンケイシステム）の蓋（以下フィッティング）に関する物である。        
【背景技術】
【０００２】
従来、ビール樽のフィッティングを外す工具は大がかりな物が多く、それによりコストが高くなり、小さな工場や現場ではその開栓が困難であった。
【発明の開示】
【発明が解決しようとする課題】
【０００３】
上記の如く従来のフィッティングを外す工具は大がかりな物が多いため、こまわりが効かず洗浄やメンテナンス作業に支障を来していた。この問題点を解決するには、軽く安価でかつ安全な工具が必要になる。
【課題を解決するための手段】
【０００４】
上記の目的を達成する本発明はハンドルa、切込みの入った板ｂ、フィッティングの爪（以下ラチェット）（イ）に掛ける板c、アジャスターｄによって構成される事を主な特徴とする。
【発明の効果】
【０００５】
本発明により軽く安価な工具が提供され、きめ細やかな樽のメンテナンスが安全に実現出来る。
【発明を実施するための最良の形態】
【０００６】
以下、本発明の実施の形態を図面に基づき詳細に説明する。
【０００７】
今、図1で示される工具がある。切込みの入った板ｂには左右対称の切込みg、hが切ってあり、ラチェット（イ）に掛ける板cにはhの位置にのみ切込みが入っている。ハンドルaと切込みの入った板ｂ、ラチェット（イ）に掛ける板cは固定されていて、a、ｂ、ｃのいずれかにはアジャスターｄの雌ねじが切ってあり、蝶ネジeを回すことによってアジャスターｄが上下できる構造になっている。
【０００８】
フィッティングを外す際はアジャスターｄをめい一杯上にあげ、切込みｈとラチェット（イ）を合わせて切込みの入った板ｂ、ラチェット（イ）に掛ける板cをラチェットの下に回り込ませる。
【０００９】
次に切込みgをラチェットにあわせ、ラチェット（イ）に掛ける板cが固定される程度に蝶ネジeを締め込む。この作業により樽内のガスが放出され安全に作業することが出来る。
【００１０】
ハンドルaを持って左回りに回すことによってフィッティングが緩む。
【００１１】
次に蝶ネジeを規定値まで下げる事により、中のストッパーが解除され、フィッティングを抜きとることができる。（図18）
【実施例１】
【００１２】
切込みの入った板ｂ、ラチェット（イ）に掛ける板cは一体成型で製造しても効果は変らない。
【００１３】
蝶ネジeはアジャスターdにドライバーの溝を設けることによって省くことが出来る。
【００１４】
蝶ネジeはメンテナンスのためアジャスターdと分離出来ることが望ましい。
【００１５】
次に図5で示される工具について説明する。アジャスターｄにはドライバーの溝が切ってあり、蝶ネジeとは固定されていない。またラチェット（イ）に掛ける板cにはアジャスターｄの雌ねじが切ってある。ハンドルa、切込みの入った板ｂは固定されており、アジャスターｄが貫通する穴が開いていて蝶ネジeによって固定できるようになっている。
【００１６】
フィッティングを外す際はまずアジャスターｄとラチェット（イ）に掛ける板cをハンドルaから取外し、アジャスターｄをめい一杯ラチェット（イ）に掛ける板cに締込む。
【００１７】
次にラチェット（イ）に掛ける板cをラチェットの下に回り込ませ、アジャスターｄをラチェット（イ）に掛ける板cが固定される程度に締め込む。この時前述のように樽内のガスが抜け、安全に作業できる。
【００１８】
次にハンドルa、切込みの入った板ｂにアジャスターｄを通し、切込みgとラチェット（イ）を合わせ、蝶ネジeで固定する。
【００１９】
ハンドルaを持ち左回りに回すとフィッティングが緩む。
【００２０】
蝶ネジeを緩めハンドルa、切込みの入った板bをアジャスターｄから外す。
【００２１】
次にアジャスターｄをドライバーなどで規定値まで下げる事により、中のストッパーが解除され、フィッティングを抜きとることができる。
【実施例２】
【００２２】
ラチェット（イ）に掛ける板cのラチェットの当る部分には凹みをつけることによりずれを防止する事が出来る。
【００２３】
次に図９、10で示される工具について説明する。ハンドルa、切込みの入った板ｂは固定されており、ラチェット（イ）に掛ける板cとアジャスターｄとの二つのアッセンブリによって構成される。ラチェット（イ）に掛ける板cにはアジャスターｄの雌ねじが切ってある。
【００２４】
フィッティングを外す際は、切込みの入った板ｂの切込みgをラチェット（イ）に合わせ、ハンドルaを左回りに回すことによってフィッティングが緩む。
【００２５】
次にアジャスターｄをラチェット（イ）に掛ける板cにめい一杯締め込んだ状態でラチェット（イ）に掛ける板cをラチェット（イ）の下に回り込ませる。
【００２６】
アジャスターｄを規定値まで締め込むことによりストッパーが解除され、フィッティングを抜きとることができる。
【実施例３】
【００２７】
ラチェット（イ）に掛ける板cのラチェットの当る部分には凹みをつけることによりずれを防止する事が出来る。
【００２８】
この方式に限り前もって樽内のガスを抜いて内圧を下げる必要がある。
【００２９】
樽の種類によっては上記の方法ではストッパーが解除できない物もある。その場合は穴ｆから解除用の金具を差込みストッパーを解除する。（請求項1、2、3共通）
【産業上の利用可能性】
【００３０】
本発明はビール用の樽に限らず、サンケイシステムの口金を持つ容器全体に使用することが出来るため、ビール製造工場を始め自家醸造（アルコール度数1％未満）やワインなど酸化を嫌う飲料の計り売り等にも利用できる。
【図面の簡単な説明】
【００３１】
【図１】本発明の請求項３（段落０００７）に係わる工具の外観斜視図である。
【図２】図１の工具の上面図である。
【図３】図1の工具の下面図である。
【図４】図1の工具の側面図である。
【図５】本発明の請求項２（段落００１５）に係わる工具の外観斜視図である。
【図６】図５の工具の上面図である。
【図７】図５の工具の下面図である。
【図８】図５の工具の側面図である。
【図９】本発明の請求項１（段落００２３）に係わる工具の外観斜視図である。
【図１０】本発明の請求項１（段落００２３）に係わる工具の外観斜視図である。
【図１１】図９の工具の上面図である。
【図１２】図１０の工具の上面図である。
【図１３】図９の工具の下面図である。
【図１４】図１０の工具の下面図である。
【図１５】図９の工具の側面図である。
【図１６】図１０の工具の側面図である。
【図１７】一般的なサンケイシステムのビール樽の断面図である。
【図１８】本発明の請求項３（段落０００７）に係わる工具によりストッパーを解除した状態の断面図である。
【符号の説明】
【００３２】
a  ハンドル
b  切込みの入った板ｂ
c  ラチェット（イ）に掛ける板c
d  アジャスター
e  蝶ネジ
f  金具を差込むための穴
g  切込み
h  切込み
（イ）ラチェット（爪）
【図１】
2008050045.tif 000003
【図２】
2008050045.tif 000004
【図３】
2008050045.tif 000005
【図４】
2008050045.tif 000006
【図５】
2008050045.tif 000007
【図６】
2008050045.tif 000008
【図７】
2008050045.tif 000009
【図８】
2008050045.tif 000010
【図９】
2008050045.tif 000011
【図１０】
2008050045.tif 000012
【図１１】
2008050045.tif 000013
【図１２】
2008050045.tif 000014
【図１３】
2008050045.tif 000015
【図１４】
2008050045.tif 000016
【図１５】
2008050045.tif 000017
【図１６】
2008050045.tif 000018
【図１７】
2008050045.tif 000019
【図１８】
2008050045.tif 000020